(57)【特許請求の範囲】
【請求項１】
物品収納庫を備えた収納装置であって、
前記物品収納庫は、上面側に通気口を設けた構成とされ、かつ、正面視して該物品収納庫の前板と、この前板の直上に配される天板または収納部の前板と、の間に前記通気口に連通する通気路となる隙間が形成されるように設置される構成とされており、
前記物品収納庫の上面側に、直上に配される前記天板または前記収納部の底板の下面に当接される当接部が設けられ、該当接部が当接された状態で前記隙間が形成される構成とされていることを特徴とする収納装置。
【請求項２】
請求項１において、
前記物品収納庫の高さ位置を調整する高さ調整部材を備えていることを特徴とする収納装置。
【請求項３】
請求項１または２において、
前記物品収納庫は、手前側端部に下方側に向けて垂れ下がるように設けられた前垂れ部を備えた前記天板の直下に配される構成とされ、
前記隙間は、この前垂れ部の下端との間に形成されることを特徴とする収納装置。
【請求項４】
請求項１乃至３のいずれか１項において、
前記物品収納庫の間口方向両方側または一方側に隣接して設けられる収納部を備えており、
前記物品収納庫の前板と前記間口方向に隣接して設けられる収納部の前板とは、互いの上端が同高さに配される構成とされていることを特徴とする収納装置。
【発明の詳細な説明】
【技術分野】
【０００１】
本発明は、収納装置に関する。
【背景技術】
【０００２】
従来より、食器洗い乾燥機や食器乾燥庫等の庫内と庫外との空気を流通させる通気口が設けられた物品収納庫を備えた収納装置が知られている。
例えば、下記特許文献１には、キッチンカウンターの下側に設置される食器洗い乾燥機が開示されている。この食器洗い乾燥機は、前面に蒸気などを排出するための排気口を設けた構成とされている。
【先行技術文献】
【特許文献】
【０００３】
【特許文献１】特開２００６−２８０５５２号公報
【発明の概要】
【発明が解決しようとする課題】
【０００４】
しかしながら、上記特許文献１に記載された食器洗い乾燥機のように、前面に排気口を設けた構成とすれば、厨房装置の前面の一部となる食器洗い乾燥機の前面の見栄えが悪くなるという問題があった。
【０００５】
本発明は、上記実情に鑑みてなされたものであり、通気口を目立ち難くし得る収納装置を提供することを目的としている。
【課題を解決するための手段】
【０００６】
上記目的を達成するために、本発明に係る収納装置は、物品収納庫を備えた収納装置であって、前記物品収納庫は、上面側に通気口を設けた構成とされ、かつ、正面視して該物品収納庫の前板と、この前板の直上に配される天板または収納部の前板と、の間に前記通気口に連通する通気路となる隙間が形成されるように設置される構成とされており、前記物品収納庫の上面側に、直上に配される前記天板または前記収納部の底板の下面に当接される当接部が設けられ、該当接部が当接された状態で前記隙間が形成される構成とされていることを特徴とする。
【発明の効果】
【０００７】
本発明に係る収納装置は、上述のような構成としたことで、通気口を目立ち難くすることができる。
【図面の簡単な説明】
【０００８】
【図１】本発明の一実施形態に係る収納装置の一例を模式的に示し、図７におけるＸ−Ｘ線矢視に対応させた一部省略概略縦断面図である。
【図２】図１におけるＹ１部及びＹ２部に対応させた一部省略概略拡大縦断面図である。
【図３】図２に対応させた一部省略概略拡大縦断面図である。
【図４】同収納装置が備える物品収納庫の一例を模式的に示す概略平面図である。
【図５】同収納装置の設置方法の一例を模式的に示す図１に対応させた一部省略概略分解縦断面図である。
【図６】同収納装置の設置方法の一例を模式的に示す図２に対応させた一部省略概略拡大縦断面図である。
【図７】同収納装置の概略正面図である。
【図８】本発明の他の実施形態に係る収納装置の一例を模式的に示す図１に対応させた一部破断概略縦断面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、設置された収納装置の物品収納庫の利用可能な側において対面した状態を基準として、手前側を前方、その逆側を後方とし、また、その状態を基準として上下方向等の方向を説明する。
【００１０】
図１〜図７は、第１実施形態に係る収納装置の一例を模式的に示す図である。
本実施形態に係る収納装置１は、図１及び図２に示すように、物品収納庫２０と、この物品収納庫２０の直上に配される天板５と、を備えている。また、物品収納庫２０は、上面側に通気口２６，２７を設けた構成とされ、かつ、正面視して当該物品収納庫２０の前板２８と、この前板２８の直上に配される天板５と、の間に通気口２６，２７に連通する通気路となる隙間Ｇ１が形成されるように設置される構成とされている。
物品収納庫２０は、庫内と庫外との空気を流通させるための通気口２６，２７が設けられるものであればよい。本実施形態では、物品収納庫２０を、内部に収容された食器や調理器具等を乾燥させる乾燥機能を備えた物品乾燥庫（食器乾燥庫）２０としている。
【００１１】
また、本実施形態では、図７に示すように、収納装置１を、物品乾燥庫２０の間口方向両方側または一方側に隣接して設けられる収納部２，３を備えた構成としている。また、収納装置１に、物品乾燥庫２０の間口方向両方側に隣接して設けられる収納部として、流し台収納部２と第１作業台収納部３とを設けた構成とし、収納装置１を、厨房装置１としている。また、この厨房装置１に、調理台収納部４を設けた構成としている。図例では、調理台収納部４を、第１作業台収納部３の反物品乾燥庫側に隣接させて設けた例を示している。
また、本実施形態では、流し台収納部２と第１作業台収納部３との間に設けられる物品乾燥庫２０を、当該物品乾燥庫２０を支持する下段収納部１１とによって、第２作業台収納部１０を構成するものとしている。
【００１２】
天板５は、これら収納部２，３，４，１０の上面側を覆うように配設され、調理台天板としてのキッチンカウンターを構成する。この天板５は、横並び状に配設される各収納部２，３，４，１０の上面側を一連状に覆う単一のものとしてもよく、複数枚からなるものとしてもよい。
また、天板５は、平面視して略矩形状とされている。また、天板５には、流し台収納部２に設けられるシンク（水槽）及び調理台収納部４に設けられる加熱機器としてのコンロが組み込まれる。これらシンク及びコンロは、天板５に設けられた開口に嵌め込まれるように固定されるものとしてもよい。また、シンクの後方側には、水栓金具が配設される。なお、シンクを天板５に一体的に形成した態様としてもよい。
【００１３】
本実施形態では、この天板５の手前側端部に、下方側に向けて垂れ下がるように前垂れ部６を設けた構成としている。この前垂れ部６は、図７に示すように、天板５の間口方向の全長に亘って一体的に設けられており、全長に亘って一様な上下寸法とされている。また、この前垂れ部６は、厚さ方向を前後方向に沿わせた薄板状とされている。また、図例では、この前垂れ部６を含み、天板５の前端部の厚さ寸法を他の部位よりも上方に向けて突出させるように僅かに厚くし、天板５の前端部上面に堰部を設けた例を示している。
また、天板５の後端部に、上方側に向けて立ち上がるように立上部を設けた構成としている。この立上部は、天板５の間口方向の全長に亘って一体的に設けられており、全長に亘って一様な上下寸法とされている。
【００１４】
また、天板５の下面側（裏面側）に裏打ち材７を設けた構成としている。この裏打ち材７は、天板５の下面側の四周端部に沿うように枠状に設けられたものとしてもよい。図例では、天板５の前端部の下面側の裏打ち材７を、前垂れ部６の後面に当接させるように設けた例を示している。また、間口方向途中部位等にも長手方向を前後方向に沿わせた桟状の裏打ち材７を設けた構成としてもよい。
また、この裏打ち材７は、上下方向に沿う寸法（厚さ寸法）が前垂れ部６の上下寸法よりも小さい寸法とされている。つまり、図２に示すように、前垂れ部６の下端６ａが裏打ち材７の下面よりも下方側に位置する構成とされている。
【００１５】
この天板５の直下に設けられる各収納部２，３，４は、それぞれがキャビネット本体を構成するように箱状とされ、図７に示すように、その前面側が上下に複数段に区画された構成とされている。
これら収納部２，３，４は、一部の詳細な図示を省略しているが、間口方向両側の側板３ｄ（図５等参照）や、背板、底板を備え、その上方側が天板５に閉塞されて前方に開口する箱状とされ、その内方空間が収納空間とされている。
各収納部２，３，４の前面開口は、上段前板２ａ，３ａ，４ａ、中段前板２ｂ，３ｂ，４ｂ及び下段前板２ｃ，３ｃ，４ｃによって覆われている。これら上段前板２ａ，３ａ，４ａ、中段前板２ｂ，３ｂ，４ｂ及び下段前板２ｃ，３ｃ，４ｃは、閉鎖状態で、それぞれの前面を前後方向で互いに一致させて配置される。図例では、閉鎖状態の各前板２ａ，２ｂ，２ｃ，３ａ，３ｂ，３ｃ，４ａ，４ｂ，４ｃの前面を、前後方向において前垂れ部６よりも僅かに後方側に位置させた例を示している（図５及び図６参照）。また、横並び状に配される上段前板２ａ，３ａ，４ａ同士、中段前板２ｂ，３ｂ，４ｂ同士及び下段前板２ｃ，３ｃ，４ｃ同士のそれぞれを、互いに同高さ寸法（上下寸法）で、かつ同高さに配される構成としている。
【００１６】
流し台収納部２は、収納空間の上側領域にシンクが収容される。この流し台収納部２のシンクの前方に配される上段前板２ａは、開放不能な化粧前板としてもよく、または薄型収納を開閉する前板としてもよい。また、流し台収納部２の中段前板２ｂ及び下段前板２ｃは、前後方向に出し入れ自在に収容される中段抽斗及び下段抽斗の前板としてもよい。
第１作業台収納部３の上段前板３ａ、中段前板３ｂ及び下段前板３ｃも同様、前後方向に出し入れ自在に収容される上段抽斗、中段抽斗及び下段抽斗の前板としてもよい。
調理台収納部４は、収納空間の上側領域にコンロが収容される。図例では、調理台収納部４の上段部の前面を、グリルの前面と小抽斗の前板４ａとしている。また、この調理台収納部４の中段前板４ｂ及び下段前板４ｃも上記同様、前後方向に出し入れ自在に収容される中段抽斗及び下段抽斗の前板としてもよい。
【００１７】
また、これら収納部２，３，４の前板２ｂ，２ｃ，３ａ，３ｂ，３ｃ，４ｂ，４ｃには、適宜の取手が設けられる。図例では、流し台収納部２及び調理台収納部４の上段部の前板２ａ，４ａ以外の前板２ｂ，２ｃ，３ａ，３ｂ，３ｃ，４ｂ，４ｃに、長手方向を間口方向に沿わせた長尺バー状の取手を設けた例を示している。なお、流し台収納部２の上段前板２ａにも同様な取手を設けた態様としてもよい。また、各収納部２，３，４の各前板に設けられる取手としては、前板の前面に付設状に設けられるものに限られず、各前板の上端部に間口方向に沿って延びるようにライン状に設けられる掘り込み状の取手としてもよい。
また、これら収納部２，３，４の下端部前方側部位を、下端部前方に蹴込空間が形成されるように後退させた例を示している。つまり、各収納部２，３，４の下段前板２ｃ，３ｃ，４ｃの下側部位を後退させた構成としている。なお、これら収納部２，３，４の収納は、上記したような抽斗に限られず、開き収納等としてもよい。この場合は、上記した各抽斗の前板２ｂ，２ｃ，３ａ，３ｂ，３ｃ，４ａ，４ｂ，４ｃを、開き戸として把握するようにしてもよい。
また、図例では、厨房装置１の間口方向両側端部にエンドパネル（サイドパネル）８，８を設けた例を示している。なお、当該厨房装置１の設置態様によっては、これらエンドパネル８，８の両方または一方を設けないようにしてもよい。
【００１８】
第２作業台収納部１０は、図１及び図７に示すように、天板５の下方側において上下に配される物品乾燥庫２０と下段収納部１１とを備えている。
下段収納部１１は、間口方向に沿う寸法が間口方向両方側に隣接して設けられる収納部２，３の側板３ｄ間の間口方向に沿う寸法に応じた寸法とされている。
この下段収納部１１は、間口方向両側の側板１２と、これら側板１２の上端部に架け渡されるように設けられた上板１３と、を備え、物品乾燥庫２０が載置される載置台を構成する。図例では、この下段収納部１１に、底板と背板とを設けた例を示している。
また、この下段収納部１１の両側板１２に、間口方向両方側に隣接して設けられる収納部２，３の側板３ｄが当接される。
【００１９】
また、この下段収納部１１の下段前板１８は、図７に示すように、他の収納部２，３，４の下段前板２ｃ，３ｃ，４ｃと高さ寸法が同寸法とされ、かつ同高さに配される構成とされている。また、この下段前板１８は、閉鎖状態で、他の収納部２，３，４の下段前板２ｃ，３ｃ，４ｃと互いの前面を前後方向で一致させて配置される構成とされている。また、上記同様、第２作業台収納部１０の下端部前方に蹴込空間が形成されるように、この下段前板１８の下側部位を後退させた構成としている。
また、図例では、この下段前板１８を、前後方向に出し入れ自在に収容される下段抽斗１７の前板としている。また、図例では、この下段前板１８の前面に上記同様の取手を設けた例を示している。
【００２０】
上板１３は、第２作業台収納部１０を上下に区画するように横仕切板状に設けられる構成とされている。図５に示すように、この上板１３と間口方向両方側の収納部２，３の側板３ｄと天板５とによって前方に向けて開口し、かつ物品乾燥庫２０が収容される収容空間９が区画される。
また、本実施形態では、この上板１３の上面側に、物品乾燥庫２０が載置される載置部１５，１６を設けている。この載置部１５，１６は、例えば、上板１３の四隅に上板１３の他の部位よりも突出するように設けられたものとしてもよい。図例では、上板１３とは別体とされた部材を載置部１５，１６として上板１３の上面側に設けた例を示している。また、後端側の載置部１５の上面が前端側の載置部１６の上面よりも上方に位置するように設けた構成とされている。図例では、これら載置部１５，１６を同様の構成とし、上板１３の後端部側部位に、その前方側部位よりも上方に突出するように形成された突段部１４を設けて後端側の載置部１５の上面を前端側の載置部１６の上面よりも上方に位置させた構成としている。なお、このような突段部１４を設けた態様に代えて、上板１３の上面と後端側の載置部１５との間に適宜のスペーサー部材を介在させたり、上板１３の後端側部位を上下に可動としたような態様等としてもよい。
また、この前端側の載置部１６の上面から後端側の載置部１５の上面までの上下方向に沿う寸法は、後記するように、物品乾燥庫２０の前端側と前垂れ部６との干渉を抑制する観点等から、適宜の寸法としてもよく、例えば、０．５ｍｍ〜１０ｍｍ程度としてもよい。
【００２１】
また、図例では、この上板１３及び側板１２の前後方向に沿う寸法を、後方側に配管等のスペースが形成されるように、他の収納部２，３の側板３ｄの前後方向に沿う寸法よりも小さい寸法とした例を示している。なお、このような態様に代えて、上板１３の後端側部位に、配線や配管等が挿通される貫通孔を設けたり、切欠状の凹部を設けた態様としてもよい。
また、この下段収納部１１の載置部１５，１６としては、上記のような態様に限られず、種々の変形が可能である。
【００２２】
物品乾燥庫２０は、図１、図３及び図４に示すように、前方に向けて開口する箱状の箱体２１と、この箱体２１に前後方向に出し入れ自在に収容され、上方に向けて開口する食器等の収納空間を区画する抽斗部２４と、を備えている。
この物品乾燥庫２０には、温風を供給する乾燥機構等が設けられており、図例では、箱体２１の後面側に、電源コード等を設けた例を示している。なお、必要に応じて、庫内に給水する給水機構や、庫内の水を排水する排水機構等を設けるようにしてもよい。
箱体２１は、間口方向に沿う寸法が間口方向両方側に隣接して設けられる収納部２，３の側板３ｄ間の間口方向に沿う寸法に応じた寸法とされている。つまり、この箱体２１の間口方向両側面に、間口方向両方側に隣接して設けられる収納部２，３の側板３ｄが当接または近接して対面される。なお、第２作業台収納部１０自体に、箱体２１の間口方向両側面が当接または近接して対面される側板を設けた態様としてもよい。
【００２３】
また、物品乾燥庫２０（箱体２１）の上下方向に沿う寸法は、下段収納部１１から天板５までの上下方向に沿う寸法に応じた寸法とされている。つまり、物品乾燥庫２０（箱体２１）は、他の収納部２，３の上段収納部と中段収納部とに応じた上下寸法とされている。
また、本実施形態では、物品乾燥庫２０（箱体２１）の高さ位置を調整する高さ調整部材１９を備えた構成としている。また、本実施形態では、この高さ調整部材１９を、物品乾燥庫２０（箱体２１）の下面と載置部１６との間に介在される構成としている。また、この高さ調整部材１９を、箱体２１の前端側部位の下面と前端側の載置部１６との間に介在されるものとしている。つまり、この高さ調整部材１９は、物品乾燥庫２０（箱体２１）の前端側の高さ調整が可能な構成とされている。
また、本実施形態では、高さ調整部材１９を、図２及び図６に示すように、厚さ方向を上下方向に沿わせて配される薄板状のスペーサーとしている。この高さ調整部材１９の厚さ寸法は、必要となる高さ調整の度合等に応じて、適宜の寸法としてもよく、例えば、０．２ｍｍ〜５ｍｍ程度としてもよい。
【００２４】
図例では、互いに同厚さとされた複数枚（図例では、３枚）の高さ調整部材１９を前端側の載置部１６の上面側に設けた例を示している。なお、このような態様に代えて、互いに異なる厚さとされた複数枚の高さ調整部材１９のうちから選択された単一または複数枚の高さ調整部材１９を設けた態様としてもよい。また、この高さ調整部材１９は、前端側の載置部１６の上面から後端側の載置部１５の上面までの上下方向に沿う寸法差を吸収するように設けられるものとしてもよい。つまりは、高さ調整後の前端側の載置部１６の高さ調整部材１９を含む上面と後端側の載置部１５の上面とが略同高さとなるように高さ調整部材１９を設けた構成としてもよい。
この高さ調整部材１９は、合成樹脂系材料から形成されたものとしてもよく、例えば、ポリプロピレン等の発泡樹脂等から形成されたものとしてもよく、その他、金属系材料や木質系材料から形成されたものとしてもよい。
また、高さ調整部材１９としては、スペーサー状に配される構成とされたものに限られず、箱体２１の下面側または載置部１６の一方側に、ねじ操作等によって上下に移動自在とされたアジャスター等を設けた態様としてもよく、その他、種々の変形が可能である。また、物品乾燥庫２０（箱体２１）の後端側の高さ調整を可能とする高さ調整部材１９を設けた構成としてもよい。
【００２５】
また、本実施形態では、箱体２１の開口縁の上端部に、図２及び図３に示すように、前方に向けて庇状に突出する突片部２２を設けた構成としている。この突片部２２は、厚さ方向を上下方向に沿わせた薄板状とされ、図４に示すように、箱体２１の間口方向の全体に亘って設けられている。また、この突片部２２は、物品乾燥庫２０の上面としての箱体２１の他の部位の上面よりも上方に突出するように設けられている。この突片部２２の下面に収納状態の抽斗部２４の前方側部位２５の上端２５ａが近接して対面される。
また、この突片部２２の上面に、天板５の前垂れ部６の後面に沿うように設けられた裏打ち材７の下面が近接して配される構成とされている。また、この突片部２２は、当該物品乾燥庫２０が設置された状態で、その上面が天板５の前垂れ部６の下端６ａよりも僅かに上方に位置する構成とされている。つまり、この突片部２２は、前垂れ部６の後方側に位置するように配される構成とされている。
【００２６】
また、本実施形態では、物品乾燥庫２０（箱体２１）の上面側に、天板５の下面に当接される当接部２３を設けた構成としている。本実施形態では、天板５の前垂れ部６の後面に沿うように設けられた裏打ち材７の下面に当接される当接部２３を設けた構成としている。つまり、当接部２３を、物品乾燥庫２０の上面の前端側に設けた構成としている。
また、本実施形態では、図４に示すように、箱体２１の前端部上面の間口方向両端部のそれぞれに当接部２３，２３を設けた構成としている。
また、これら当接部２３，２３を、箱体２１の上面から上方に向けて突出するように設けられたスペーサー状としている。また、これら当接部２３，２３は、上面が突片部２２の上面よりも僅かに上方側に位置するように設けられている。つまり、これら当接部２３，２３が、天板５（裏打ち材７）の下面に当接した状態で、突片部２２の上面が天板５（裏打ち材７）の下面に当接することなく近接する構成とされている。
【００２７】
これら当接部２３，２３の突出寸法は、当接部２３，２３が天板５（裏打ち材７）の下面に当接した状態で、当該物品乾燥庫２０の前板２８と天板５（前垂れ部６）との間に、正面視して、後記する所定の隙間Ｇ１が形成されるように適宜の寸法としてもよい。また、これら当接部２３，２３の突出寸法は、これらの上面から箱体２１の下面までの上下方向に沿う寸法が天板５の前垂れ部６の下端６ａから（高さ調整前の）前端側の載置部１６の上面までの上下方向に沿う寸法よりも小さい寸法となるように適宜の寸法としてもよい。
なお、当接部２３，２３を設ける位置や個数は、図例に限られず、種々の変形が可能である。また、図例のように、箱体２１とは別体とされたスペーサー状の当接部２３，２３とした場合には、例えば、裏打ち材７の上下方向に沿う寸法に応じて、異なる突出寸法とされた当接部２３，２３を採用するようにしてもよい。また、このように箱体２１とは別体とされた当接部２３，２３に限られず、箱体２１に一体的に設けられたものとしてもよい。例えば、突片部２２を当接部として把握したり、突片部２２の上面に当接部となる部材を設けた態様としたりしてもよい。さらには、物品乾燥庫２０（箱体２１）の上面側に当接部２３を設けた態様に代えて、天板５の下面側に、物品乾燥庫２０（箱体２１）の上面に当接される当接部を設けた態様としてもよい。
【００２８】
また、本実施形態では、通気口を構成する吸気口２６及び排気口２７を、抽斗部２４の上面側に設けている。また、図４及び図７に示すように、当該物品乾燥庫２０の操作部２５ｂを、前面側ではなく、抽斗部２４の上面側に設けている。本実施形態では、これら操作部２５ｂ、吸気口２６及び排気口２７を、抽斗部２４の収納空間の前方側を区画する前方側部位（壁部）２５の上端部に設けた構成としている。図例では、前方側部位２５の後側部位を前側部位よりも段下がり状とし、この段下がり状とされた部位の上端に操作部２５ｂを設けた例を示している。また、図例では、間口方向一方側端部側に操作部２５ｂを設けた例を示している。
前方側部位２５の前側部位の上端２５ａは、図２に示すように、突片部２２及び当接部２３を除いた箱体２１の上面と略同一平面状となる構成とされている。
【００２９】
また、吸気口２６及び排気口２７を、この前方側部位２５の前側部位の上端２５ａにおいて上方に向けて開口するように設けた構成としている。これら吸気口２６及び排気口２７は、抽斗部２４が箱体２１に収容された状態では、突片部２２に上方側が覆われる構成とされている。つまり、抽斗部２４が箱体２１に収容された状態では、排気口２７から排気された空気が突片部２２によって気流方向を変更され、前方に向けて排気される構成とされている。つまりは、突片部２２は、庫内と庫外との空気を流通させる通気口２６，２７を前方に向けて開口させるように通気路を区画する壁部となる構成とされている。なお、この突片部２２と前方側部位２５の上端２５ａとによって形成されるスリット状の前向きの開口を、通気口２６，２７として把握するようにしてもよい。
また、これら吸気口２６及び排気口２７は、適宜の空気流通路を介して抽斗部２４の収納空間に連通されている。また、これら吸気口２６と排気口２７とは、間口方向に間隔を空けて設けられている。図例では、間口方向一方側端部側に吸気口２６を設け、間口方向他方側端部側に排気口２７を設けた例を示している。また、図例では、これら吸気口２６及び排気口２７を、間口方向に長尺なスリット状とした例を示している。
【００３０】
また、本実施形態では、抽斗部２４の前板２８，２９を、この前方側部位２５に対して取り付けられる別体とされたものとしている。また、隣接する各収納部２，３に対応させて、物品乾燥庫２０の前板を、上段前板２８と中段前板２９とによって構成している。また、この物品乾燥庫２０の前板２８，２９と隣接する各収納部２，３の前板２ａ，２ｂ，３ａ，３ｂとを、互いの上端部が同高さに配される構成としている。また、本実施形態では、この物品乾燥庫２０の前板２８，２９と隣接する各収納部２，３の前板２ａ，２ｂ，３ａ，３ｂとを、高さ寸法を同寸法とし、かつ同高さに配される構成としている。つまり、図７に示すように、上段前板２８は、その間口方向両側に配される各収納部２，３の上段前板２ａ，３ａと高さ寸法が同寸法で、かつ同高さに配される構成とされている。また、中段前板２９は、その間口方向両側に配される各収納部２，３の中段前板２ｂ，３ｂと高さ寸法が同寸法で、かつ同高さに配される構成とされている。また、これら上段前板２８及び中段前板２９と各収納部２，３の前板２ａ，２ｂ，３ａ，３ｂとは、互いに閉鎖状態で、互いの前面を前後方向で一致させて配置される構成とされている。
【００３１】
また、これら上段前板２８及び中段前板２９は、他の収納部２，３の前板２ａ，２ｂ，３ａ，３ｂと概ね同様な外観を呈するように略矩形平板状とされている。また、これら上段前板２８及び中段前板２９は、他の収納部２，３の前板２ａ，２ｂ，３ａ，３ｂと同厚さとされたものとしてもよい。また、これら上段前板２８及び中段前板２９は、抽斗部２４の前方側部位２５の前面に適宜の金具や固定具、接着剤等によって固定されるものとしてもよい。
また、上段前板２８は、上端２８ａが前方側部位２５の上端２５ａと略同一平面状となるように前方側部位２５の前面に固定される構成とされている。
また、中段前板２９は、互いに閉鎖状態で、下段収納部１１の下段抽斗１７の下段前板１８の上端に下端が近接するように配され、箱体２１の下面と下段収納部１１の上面との間を覆うように閉鎖する構成とされている。この中段前板２９を取り外した状態では、箱体２１の下面と下段収納部１１の上面との間の前端側の載置部１６が正面視して露出した状態となる。
また、図例では、上段前板２８に、上記同様な取手を設け、中段前板２９には、取手を設けていない例を示しているが、中段前板２９にも取手を設けた態様としてもよい。
【００３２】
また、本実施形態では、上段前板２８の上端２８ａと天板５の前垂れ部６の下端６ａとの間に、正面視して、通気口（吸気口２６及び排気口２７）２６，２７に連通する通気路となる隙間Ｇ１が形成される構成とされている。この隙間Ｇ１の上下方向に沿う寸法は、見栄え上の観点や、通気性（排気性）、開閉性の観点等から適宜の寸法としてもよく、例えば、上下に複数段配される抽斗収納や開き収納の前板間の目地幅と同程度の寸法とされたものとしてもよい。また、例えば、この隙間Ｇ１の上下方向に沿う寸法を、０．５ｍｍ〜５ｍｍ程度としてもよい。
この隙間Ｇ１を介して、吸気口２６に向けて吸気され、排気口２７から排気された空気（水蒸気）が前方側に向けて排気される。
【００３３】
次に、本実施形態に係る厨房装置（収納装置）１の設置方法について説明する。
同設置方法は、天板５の下方側に形成される物品乾燥庫２０の収容空間９に、正面視して物品乾燥庫２０の上段前板２８と天板５との間に通気口２６，２７に連通する通気路となる隙間Ｇ１が形成されるように、物品乾燥庫２０を設置する構成とされている。
まず、各収納部２，３，４及び第２作業台収納部１０の下段収納部１１を横並び状に配設し、適宜の連結部材によって互いに連結するようにしてもよい。なお、流し台収納部２や第２作業台収納部１０に必要となる給排水管や、第２作業台収納部１０や調理台収納部４に必要となる電源等は、予め必要に応じて施工するようにしてもよい。
そして、これら収納部２，３，４及び第２作業台収納部１０の下段収納部１１の上方側を覆うように天板５を配置する。この天板５は、各収納部２，３，４の上端部に設けられた適宜の連結部材等によって固定されるものとしてもよい。この状態では、下段収納部１１の上方側に、間口方向両側の収納部２，３と天板５とによって前方に開口する、物品乾燥庫２０の収容空間９が形成された状態となる。
【００３４】
次いで、図５に示すように、この収容空間９に、前板２８，２９を取り外した状態の物品乾燥庫２０を差し入れるように配置する。本実施形態では、物品乾燥庫２０の前端部の上面側に、前垂れ部６の下端６ａよりも少なくとも一部が上方側に位置するように配される突片部２２及び当接部２３を設けた構成としているので、これらを前垂れ部６の下方側から潜り込ませるようにして配置するようにしてもよい。また、この際、物品乾燥庫２０を途中まで差し入れた状態で、物品乾燥庫２０の電源コードや、必要に応じて給排水管等を適宜、接続するようにしてもよい。
【００３５】
また、物品乾燥庫２０の後端側を持ち上げるようにして後端側の載置部１５に載置し、また、物品乾燥庫２０の前端側を前端側の載置部１６に載置するようにしてもよい。この状態では、後端側の載置部１５の上面が前端側の載置部１６の上面よりも上方側に位置するため、物品乾燥庫２０が言わば前傾状態となる。また、この状態では、図６に示すように、箱体２１の上面側の当接部２３，２３の上面と天板５の裏打ち材７の下面との間に隙間が形成される。つまり、抽斗部２４の前方側部位２５の上端２５ａ（上段前板２８の上端２８ａ）と天板５の前垂れ部６の下端６ａとの間に、上記した所定の隙間Ｇ１よりも上下寸法が大とされた調整前隙間Ｇ２が形成される。
【００３６】
そして、図２及び図６に示すように、当接部２３，２３が天板５の裏打ち材７の下面に当接するように、物品乾燥庫２０の前端側の下面と前端側の載置部１６との間に、適宜の枚数（または厚さ）の高さ調整部材１９を差し入れ、物品乾燥庫２０の前端側の高さ位置を調整する。これにより、前傾状態とされた物品乾燥庫２０が略水平状態となる。なお、当接部２３，２３を天板５の裏打ち材７の下面に当接させることなく、上段前板２８の上端２８ａ（前方側部位２５の上端２５ａ）が他の収納部２，３の上段前板２ａ，３ａの上端と同高さとなるように高さ位置を調整するようにしてもよい。
そして、抽斗部２４の前方側部位２５の前面に、上段前板２８及び中段前板２９を固定する。この際、上段前板２８の上端２８ａと前方側部位２５の上端２５ａとが略同一平面状となるように上段前板２８を固定するようにしてもよい。これにより、上段前板２８の上端２８ａと天板５の前垂れ部６の下端６ａとの間に、上記した所定の隙間Ｇ１が形成される。また、上段前板２８の上端２８ａと、他の収納部２，３の上段前板２ａ，３ａの上端とが同高さ位置となる。つまり、これら隣り合う収納部２，１０，３の上段前板２ａ，２８，３ａと天板５との間に、正面視して、略一様な目地幅の隙間Ｇ１が形成される。
【００３７】
なお、物品乾燥庫２０を、下段収納部１１の載置部１５，１６上に載置するのみで設置するようにしてもよく、適宜の固定具等によって固定するようにしてもよく、また、適宜のストッパー等によって前方側への移動の抑止がなされるものとしてもよい。
また、各収納部２，３，４の抽斗を収納させたり、コンロやシンク、水栓金具等を設置するようにしてもよい。また、必要に応じて、エンドパネル８，８を設置するようにしてもよい。
また、上記設置手順は、一例に過ぎず、各部材の機能を阻害しない限りにおいて別手順にて行うようにしてもよい。
例えば、天板５を固定する前に、間口方向両方側の収納部２，３間に差し入れるようにして下段収納部１１上に物品乾燥庫２０を設置するようにしてもよい。この場合は、天板５を固定した後に、上記同様、物品乾燥庫２０の前端側の高さ調整を行うようにしてもよい。本実施形態に係る収納装置（厨房装置）１の設置方法は、その他、種々の変形が可能である。
【００３８】
本実施形態に係る収納装置（厨房装置）１は、上述のような構成としたことで、通気口２６，２７を目立ち難くすることができる。
つまり、物品収納庫（物品乾燥庫）２０を、上面側に通気口２６，２７を設けた構成としている。また、この物品乾燥庫２０を、正面視して、当該物品乾燥庫２０の前板（上段前板）２８と、この直上に配される天板５または収納部の前板と、の間に通気口２６，２７に連通する通気路となる隙間Ｇ１が形成されるように設置される構成としている。従って、物品乾燥庫の前板の前面側において開口する通気口を設けたようなものと比べて、通気口２６，２７を目立ち難くすることができる。つまり、物品乾燥庫２０の上段前板２８と天板５との間の隙間Ｇ１が通気口２６，２７として機能することとなる。これにより、本実施形態のように、物品乾燥庫２０の上段前板２８の前面をフラットな形状で、間口方向に隣接する収納部２，３の上段前板２ａ，３ａの外観形状と同じ形状にすることもでき、見栄えを向上させることができる。
【００３９】
また、本実施形態では、物品乾燥庫２０を、手前側端部に下方側に向けて垂れ下がるように設けられた前垂れ部６を備えた天板５の直下に配される構成とし、隙間Ｇ１を、この前垂れ部６の下端６ａとの間に形成される構成としている。従って、本実施形態のように、物品乾燥庫２０の上面側に、上段前板２８の上端２８ａよりも上方に突出するような突片部２２や当接部２３があるような場合にも、これらを、前垂れ部６の後方側に潜り込ませるように配置することができる。つまり、後方側部位よりも下方側に向けて突出する前垂れ部６の後方側に、上段前板２８の上端２８ａよりも上方に突出する通気口を構成する突片部２２や当接部２３を受け入れるように配置することができる。これにより、突片部２２や当接部２３があるような場合にも、上段前板２８の上端２８ａと前垂れ部６の下端６ａとの隙間Ｇ１を小さくすることができる。
【００４０】
また、本実施形態では、物品乾燥庫２０の上段前板２８と物品乾燥庫２０の間口方向両方側または一方側に隣接して設けられる収納部２，３の上段前板２ａ，３ａとを、互いの上端が同高さに配される構成としている。従って、天板５の直下において隣り合う物品乾燥庫２０の前面上端と収納部２，３の前面上端とが間口方向に揃ったような印象を与えることができ、これらの少なくとも上端側の目地が間口方向に略直線状に形成されることとなり、見栄えを向上させることができる。
【００４１】
また、本実施形態では、物品乾燥庫２０の高さ位置を調整する高さ調整部材１９を備えた構成としている。従って、物品乾燥庫２０の上段前板２８と天板５との間に形成する隙間Ｇ１の上下寸法を調整することができる。これにより、間口方向に隣接する収納部２，３の上段前板２ａ，３ａと物品乾燥庫２０の上段前板２８とが同高さに位置するように容易に調整することもできる。また、上述のように、物品乾燥庫２０の上面側に、上段前板２８の上端２８ａよりも上方に突出するような突片部２２や当接部２３があるような場合にも、これらを前垂れ部６の後方側に位置させた後に、前端側を持ち上げるようにして高さを調整することができる。
【００４２】
また、本実施形態では、物品乾燥庫２０の上面側に、天板５の下面（本実施形態では、裏打ち材７の下面）に当接される当接部２３を設けた構成としている。従って、この当接部２３を天板５の裏打ち材７の下面に当接させることで、物品乾燥庫２０の上段前板２８と天板５の前垂れ部６の下端６ａとの間の隙間Ｇ１を確実に確保することができる。また、上記のように高さ調整部材１９を設けた場合には、高さ調整する際に、当接部２３を当接させることで、高さ位置の位置決めを行うこともでき、施工性を向上させることができる。
【００４３】
また、本実施形態では、物品乾燥庫２０の抽斗部２４とは別体とされた前板２８，２９を備えた構成としている。従って、前板２８，２９を取り外した状態の物品乾燥庫２０を設置した後に、前方側から高さ調整を容易に行うことができる。また、箱体２１や抽斗部２４を共通部材とし、前板２８，２９を、隣接して配される他の収納部２，３の前板２ａ，２ｂ，３ａ，３ｂの色柄等に応じて複数種から選択されるものとするようなこともできる。
【００４４】
なお、本実施形態に係る収納装置としての厨房装置１は、後面側が壁付設置されるものとしてもよく、後面側が居住空間となる対面式にて設置されるものとしてもよい。
また、本実施形態では、間口方向に長尺な平面視して矩形状のいわゆるＩ型の厨房装置１とした例を示しているが、平面視してＬ字状とされたＬ型の厨房装置１やコ字状とされた厨房装置１等としてもよい。
また、本実施形態では、物品乾燥庫２０を備えた第２作業台収納部１０の間口方向両方側に隣接して配される各収納部２，３に側板３ｄを設けた例を示しているが、両方または一方に側板が設けられていないものとしてもよい。この場合は、下段収納部１１を床等に適宜の固定金具によって固定するようにしてもよい。また、本実施形態では、物品乾燥庫２０を備えた第２作業台収納部１０の間口方向両方側に隣接して配される収納部２，３を設けた例を示しているが、間口方向一方側の収納部を設けないようにしてもよい。この場合は、物品乾燥庫２０を備えた第２作業台収納部１０の間口方向一方側に配されるエンドパネル８や壁面によって収容空間９の間口方向一方側が区画される構成としてもよい。厨房装置１に設けられる収納部としては、その他、種々の変形が可能である。
【００４５】
次に、本発明に係る収納装置の他の実施の形態について、図面を参照しながら説明する。
図８は、第２実施形態に係る収納装置の一例を模式的に示す図である。
なお、上記第１実施形態との相違点について主に説明し、同様の構成については、同一符号を付し、その説明を省略または簡略に説明する。
【００４６】
本実施形態では、物品収納庫としての物品乾燥庫２０を、天板５に代えて、物品乾燥庫２０の前板２８の直上に配される収納部としての上段側収納部５Ａの直下に配されるものとしている。つまり、本実施形態に係る収納装置１Ａは、下段収納部１１及び物品乾燥庫２０を有した下側収納部１０Ａの上方側に、天板５に代えて、上段側収納部５Ａを設けた構成とされている。
また、本実施形態では、この収納装置１Ａを、物品乾燥庫２０の上方側に複数段（図例では、２段）の収納部５Ａを設けた構成としている。
この収納装置１Ａは、例えば、床面から天井近傍までの高さ寸法とされたものとしてもよい。また、物品乾燥庫２０の上段側の各収納部５Ａの前板６Ａを、開き戸とした例を示している。なお、このような態様に代えて、物品乾燥庫２０の上段側の各収納部５Ａの前板６Ａを、抽斗の前板としてもよい。
【００４７】
上段側収納部５Ａは、間口方向両側が収容空間９Ａの間口方向両側を区画する両側の側板３Ａｄによって区画されている。また、この上段側収納部５Ａの収納空間の底側は、底板７Ａによって区画されている。本実施形態では、この底板７Ａの下面に、物品乾燥庫２０の上面側の当接部２３が当接される構成とされている。
また、物品乾燥庫２０を、正面視して物品乾燥庫２０の前板２８と、この前板２８の直上に配される上段側収納部５Ａの前板６Ａと、の間に通気口２６，２７（図１等参照）に連通する通気路となる隙間Ｇ１（図２等参照）が形成されるように設置される構成としている。つまり、物品乾燥庫２０の前板２８の上端２８ａと、上段側収納部５Ａの前板６Ａの下端６Ａａと、の間に、正面視して上記同様の隙間Ｇ１が形成される構成とされている。
【００４８】
本実施形態に係る収納装置１Ａも、上記第１実施形態と概ね同様にして設置可能である。
また、本実施形態に係る収納装置１Ａにおいても、上記第１実施形態と概ね同様の効果を奏する。つまり、物品乾燥庫２０の上段前板２８と、その上方側の上段側収納部５Ａの前板６Ａと、の間の隙間Ｇ１を通気口として機能させることができる。
【００４９】
なお、上記各実施形態では、物品乾燥庫２０の通気口２６，２７を、抽斗２４の前方側部位２５の上端２５ａにおいて開口させた例を示しているが、このような態様に代えて、上段前板２８の上端２８ａや箱体２１の上面において開口させた態様としてもよい。また、上方に向けて開口する通気口２６，２７に限られず、前方に向けて開口するように通気口２６，２７を設けた構成としてもよい。この場合は、上記した突片部２２と同様、通気口２６，２７を区画する通路の上端面が上段前板２８の上端２８ａよりも上方に位置する構成とされたものとしてもよい。例えば、上記のような突片部２２を、通気口２６，２７を形成するように通気口２６，２７が設けられる側の部材に一体的に設けたような構成等としてもよい。物品乾燥庫２０の上面側に設けられる通気口２６，２７としては、その他、種々の変形が可能である。
【００５０】
また、上記各実施形態では、通気口２６，２７として、吸気口２６と排気口２７とを物品乾燥庫２０の上面側に設けた例を示しているが、吸気口２６及び排気口２７のうちの一方のみを設けた構成としてもよい。
また、上記各実施形態では、物品収納庫２０を、乾燥機能を有した物品乾燥庫２０とした例を示しているが、乾燥機能に加え、洗浄機能を有した洗浄乾燥庫（食器洗い乾燥庫）としてもよい。また、物品収納庫２０としては、庫内と庫外との空気を流通させる必要がある、例えば、冷蔵庫や炊飯器等の電気機器を収納するものや、送風機能及び脱臭機能の両方または一方を有したもの等としてもよい。
【００５１】
また、上記各実施形態では、物品収納庫２０を支持する下段収納部１１を設けた例を示しているが、このような下段収納部１１を設けないようにしてもよい。この場合は、物品収納庫２０を載置する横仕切板を設けたり、さらには、物品収納庫２０を床上に載置されるものとしてもよい。
また、上記各実施形態では、物品収納庫２０の上面側に当接部２３を設けた例を示しているが、このような当接部２３を設けないようにしてもよい。
また、上記各実施形態では、物品収納庫２０の高さ位置を調整する高さ調整部材１９を設けた例を示しているが、このような高さ調整部材１９を設けないようにしてもよい。
【符号の説明】
【００５２】
１        厨房装置（収納装置）
１Ａ      収納装置
２        流し台収納部（間口方向に隣接して設けられる収納部）
２ａ      上段前板（前板）
３        第１作業台収納部（間口方向に隣接して設けられる収納部）
３ａ      上段前板（前板）
５        天板
６        前垂れ部
５Ａ      上段側収納部（直上に配される収納部）
６Ａ      前板
９，９Ａ  収容空間
１９      高さ調整部材
２０      物品乾燥庫（物品収納庫）
２３      当接部
２６      吸気口（通気口）
２７      排気口（通気口）
２８      上段前板（前板）
Ｇ１      隙間
【図１】
0006548158.tif 000002
【図２】
0006548158.tif 000003
【図３】
0006548158.tif 000004
【図４】
0006548158.tif 000005
【図５】
0006548158.tif 000006
【図６】
0006548158.tif 000007
【図７】
0006548158.tif 000008
【図８】
0006548158.tif 000009